(57)【要約】      （修正有）【課題】カメラレンズから取り外されていてもすぐにレンズキャップを手に取れるようにできるカメラレンズキャップホルダを提供する。【解決手段】レンズキャップホルダ２の本体は、レンズキャップとほぼ同じ大きさの凹部２ｂを有する。このレンズキャップは、カメラレンズに保持する場合と同じように、摩擦嵌めによって凹部２ｂに取り付けることができる。レンズキャップホルダ２では、レンズキャップやカメラになんら変更を加える必要がない。レンズキャップホルダ２は一体成形されており、コストを比較的低く抑えることができる。【選択図】図１
2013231882.tif 000002
【特許請求の範囲】
【請求項１】
レンズキャップに対応する大きさの凹部を有する中心本体と、
前記中心本体の外周に形成され、前記中心本体の少なくとも１つの側面に配置された開口部と、
を備えるレンズキャップホルダ。
【請求項２】
請求項１のレンズキャップホルダであって、前記中心本体に穴部をさらに備えるレンズキャップホルダ。
【請求項３】
請求項１のレンズキャップホルダであって、前記凹部内での前記レンズキャップの保持性を高めるよう前記凹部の内周に沿って設けられたねじ山または逃げ溝をさらに備えるレンズキャップホルダ。
【請求項４】
請求項１のレンズキャップホルダであって、前記開口部のアクセスを開閉する少なくとも１つのクリップをさらに備えるレンズキャップホルダ。
【請求項５】
請求項１のレンズキャップホルダであって、前記中心本体の両側の側面に配置された第１の開口部と第２の開口部とをさらに備えるレンズキャップホルダ。
【請求項６】
レンズキャップに対応する大きさの凹部を有する中心本体と、
前記中心本体の外周に形成され、前記中心本体の少なくとも１つの側面に配置された開口部と、
を備え、
前記開口部は、レンズキャップホルダがストラップにしっかり取り付けられるようにストラップに沿って配置されるように構成されてなる、
レンズキャップホルダ。
【請求項７】
請求項６のレンズキャップホルダであって、前記凹部内での前記レンズキャップの保持性を高めるよう前記凹部の内周に沿って設けられたねじ山または逃げ溝をさらに備えるレンズキャップホルダ。
【請求項８】
請求項６のレンズキャップホルダであって、前記開口部のアクセスを開閉する少なくとも１つのクリップをさらに備えるレンズキャップホルダ。
【請求項９】
請求項６のレンズキャップホルダであって、前記中心本体の両側の側面に配置された第１の開口部と第２の開口部とをさらに備えるレンズキャップホルダ。
【請求項１０】
中心本体と、
レンズキャップを内部に保持するよう前記中心本体に形成された凹部と、
前記中心本体の各側面に配置された開口部と、
を備えるレンズキャップホルダ。
【請求項１１】
請求項１０のレンズキャップホルダであって、前記中心本体に穴部をさらに備えるレンズキャップホルダ。
【請求項１２】
請求項１０のレンズキャップホルダであって、前記開口部のアクセスを開閉する少なくとも１つのクリップをさらに備えるレンズキャップホルダ。
【発明の詳細な説明】
【技術分野】
【０００１】
関連出願とのクロスリファレンス
本出願は、２０１１年５月２日に出願された米国特許仮出願第６１／４８１，３４９号に対して優先権を主張し、この仮出願の全体を、参照することにより本明細書に援用する。
【背景技術】
【０００２】
本発明は、カメラの付属品に関し、特に、カメラレンズキャップを保持するためのストラップ連結部を備えるねじ込み式ホルダに関する。
【０００３】
カメラレンズキャップは、一般的に、レンズを保護するためにカメラに備え付けられている。カメラの使用中、レンズキャップは取り外されている。このようなレンズキャップは比較的高価であるが、カメラの使用中に紛失したり、置き忘れたりしてしまうという問題がある。
【０００４】
カメラレンズキャップを保持するための現在の解決策では、レンズキャップを改良したり、レンズキャップを接着したりすることが必要となる。しかし、元のレンズキャップにこのような変更を加えることは望ましくない。
【０００５】
解決策としては、他にも、レンズ筺体の周囲やカメラ本体に装着したループ状の弾力性のあるストラップにレンズキャップを連結させる策がある。しかし、キャップがカメラの下にぶら下がり、使用の妨げになる可能性がある。この解決策では、レンズキャップを一般的なカメラの使用領域から外すことになる。
【０００６】
このように、レンズキャップがカメラレンズから取り外されていてもすぐにレンズキャップを手に取れるようにできるカメラレンズキャップホルダが求められている。
【発明の概要】
【０００７】
本発明の一態様において、レンズキャップホルダは、レンズキャップに対応する大きさの凹部を有する中心本体と、前記中心本体の外周に形成され、前記中心本体の少なくとも１つの側面に配置された開口部と、前記中心本体にある穴部と、を備えている。
【０００８】
本発明の他の態様において、レンズキャップホルダは、レンズキャップに対応する大きさの凹部を有する中心本体と、前記中心本体の外周に形成され、前記中心本体の少なくとも１つの側面にも配置された開口部を備えており、前記開口部は、レンズキャップホルダを前記開口部にしっかりと取り付けるようストラップに沿って設けられている。
【０００９】
本発明の他の態様において、レンズキャップホルダは、中心本体と、レンズキャップを内部に保持するよう前記中心本体に形成された凹部と、  ストラップを通して取り付けることできるよう前記中心本体の各側面に配置された開口部と、前記中心本体に配置された穴部とを備えている。
【００１０】
このような、また、その他の本発明の特徴、態様、効果は、以下の図面、発明の詳細な説明、請求項の範囲を参照することによってよりよく理解できる。
【図面の簡単な説明】
【００１１】
【図１】本発明の実施形態に係るレンズキャップホルダの内部を示す斜視図である。
【００１２】
【図２】図１のレンズキャップホルダの外部を示す斜視図である。
【００１３】
【図３】図１のレンズキャップホルダの斜視図であって、レンズキャップホルダへのレンズキャップの装着を示す。
【００１４】
【図４】本発明の変型例に係るレンズキャップホルダの斜視図である。
【００１５】
【図５】図４のレンズキャップホルダの斜視図であって、レンズキャップホルダへのレンズキャップの装着を示す。
【発明を実施するための形態】
【００１６】
以下の詳細な説明に本発明を実施するための現時点で考えられる最良の形態を示す。本発明の範囲は添付の特許請求の範囲によって定義されるものであるので、以下の説明は、限定的な意味で解釈されるのでなく、単に、本発明の一般的な原理を説明する目的でなされるものである。
【００１７】
概して、本発明の一実施形態は、カメラレンズキャップをカメラネックストラップや、通常のストラップ、または、他のどんな物品にもしっかりと取り付けるレンズキャップホルダを提供する。カメラレンズキャップホルダは、カメラネットストラップや、他の通常のストラップ等をレンズキャップホルダの本体の開口部に通して取り付けることができる。また、レンズキャップホルダに紐を取り付けるようにしてもよいし、また、その紐をカメラ本体等の物品にしっかりと取り付けるようにしてもよい。レンズキャップホルダの本体は、レンズキャップとほぼ同じ大きさの凹部を有する。このレンズキャップは、カメラレンズの配置を保持する場合と同じように、摩擦嵌めによって凹部に取り付けることができる。本発明のレンズキャップホルダによると、レンズキャップやカメラになんら変更を加える必要がない。レンズキャップホルダは一体成形されており、現在の解決策と比べても、コストを比較的低く抑えることができる。
【００１８】
図１〜図３に示すように、レンズキャップホルダ２は、レンズキャップ３に対応する大きさの凹部又は穴部２ｂを有する中心本体２ａを備えていてもよい。凹部２ｂは、必要に応じて、カメラレンズキャップ３をより確実に保持するためのねじ山や逃げ溝を有していてもよい。また、任意に設けた排気孔２ｄによって、レンズキャップ３が凹部２ｂ内に置かれている場合は、空気を逃がすことができ、また、レンズキャップ３が凹部２ｂ内にしっかりと取り付けられている場合には、レンズキャップホルダ２から水やゴミを取り除くことができる。レンズキャップホルダ２の側面に任意に設けた開口部２ｃによって、例えば、レンズキャップホルダ２をカメラネックストラップに通すことができる。図４に示すように、追加の付属品オプションとして、レンズキャップホルダの穴部４によって、紐や、リング、竜頭をレンズキャップホルダ２に取り付けるようにしてもよい。
【００１９】
図４及び図５に示すように、レンズキャップホルダ５にクリップ６を設けてレンズキャップホルダ５の開口部２ｃにアクセスを備えるようにしてもよい。クリップ６を使ってレンズキャップホルダ５の取り付けを行ってもよく、レンズキャップホルダ５にストラップを完全に取り付けてしまう必要はない。
【００２０】
本発明のレンズキャップホルダ２、５は、例えば、プラスチックや、アルミニウム、スチール等の様々な材料で、機械加工によって形成してもよい。また、レンズキャップホルダ２、５は、プラスチック等の様々な材料で射出成形によって形成してもよい。さらに、レンズキャップホルダ２、５は、スチールやアルミニウム等の様々な材料で、ダイキャスト成形または鍛造によって形成してもよい。
【００２１】
本発明のレンズキャップホルダ２、５は、また、ＵＶフィルタや、偏光フィルタ等のカメラレンズフィルタを保持するように設計することもできる。
【００２２】
上記の説明は本発明の実施例に関するものであり、以下の請求の範囲に定義する本発明の精神及び範囲から逸脱することなく変更をなしえることは当然理解されるべきである。
【図１】
2013231882.tif 000003
【図２】
2013231882.tif 000004
【図３】
2013231882.tif 000005
【図４】
2013231882.tif 000006
【図５】
2013231882.tif 000007
【外国語明細書】
2013231882000001.pdf